(57)【特許請求の範囲】
【請求項１】
木材チップを成形または圧縮成形した中空断面の緩衝用ブロックであり、その緩衝用ブロックの内面側を補強部材で補強された緩衝材を落石防止壁本体の落石を受ける面に設けたことを特徴とする緩衝機構を有する落石防止壁。
【請求項２】
落石防止壁本体の前面の型材に、中空断面の緩衝用ブロックをその中空部に条体を通して取付けたことを特徴とする請求項１記載の緩衝機構を有する落石防止壁。
【請求項３】
収納箱の内部に、木材チップを成形または圧縮成形してなる緩衝用ブロックを複数挿入してなる緩衝材を落石防止壁本体の落石を受ける面に取り付けたことを特徴とする緩衝機構を有する落石防止壁。
【請求項４】
前記収納箱が鋼板により製作されていることを特徴とする請求項３に記載の緩衝機構を有する落石防止壁。
【請求項５】
緩衝用ブロックが収納箱の箱本体または蓋に取付られていることを特徴とする請求項３または４に記載の緩衝機構を有する落石防止壁。
【発明の詳細な説明】
【０００１】
【発明の属する技術分野】
本発明は、山岳部や急斜面下における道路や鉄道、建物等を落石から保護するための落石防止壁に関する。
【０００２】
【従来の技術】
従来、落石防止壁に、直接落石が当ることによる損傷を防ぐと共に緩衝作用を有する落石防止壁に使用される衝撃を吸収する緩衝材としては、（１）特開平８−６８０１６号公報または実公平６−２６５６６号公報にも示されているように、砂（サンドクッション）を使用したり、（２）特開平９−８８０１５号公報または特許第２６４５４８４号明細書にも記載されているように、発泡性合成樹脂材を使用したり、（３）特開２０００−１４４６４４号公報にも記載されているように、砂、発泡材や砂との混合複合材料を使用したり、（４）実開平６−７４６１１号公報にも記載されているように、古タイヤを使用したり、（６）特許第２７８５１７７号明細書にも記載されているように、ゴム材や樹脂を中実または中空断面にブロック化した緩衝材を使用したり、（７）特開平９−２４２０２５号にも記載されているように、ショック吸収材を充填したクッション材を使用していた。
【０００３】
【発明が解決しようとする課題】
緩衝材として砂の場合は、重量が重く搬送費用が高くなると共に、比較的高価である。また発泡合成樹脂材の場合は高価である等の問題があると共に、自然環境になじまない物質であるので、緩衝材が損傷した時に、化学的な処理費用もかかる問題がある。また古タイヤの場合には、雨水がタイヤ内に溜まって蚊が発生したりする問題もある。ゴム材または樹脂材あるいは合成樹脂製のショック吸収材の場合は価格が高いという問題がある。また木材自体を使用する場合には、比較的緩衝性能が低いという問題がある。
【０００４】
本発明は、例えば間伐材などの木質素材を有効に利用できる木材チップを使用した緩衝材とすることにより、低コストの経済的で施工性のよい緩衝機構を有する落石防護壁を提供することを目的とする。
【０００５】
【課題を解決するための手段】
前記の問題を有利に解決するために、請求項１の緩衝機構を有する落石防止壁においては、木材チップを成形または圧縮成形した中空断面の緩衝用ブロックであり、その緩衝用ブロックの内面側を補強部材で補強された緩衝材を落石防止壁本体の落石を受ける面に設けたことを特徴とする。
【０００６】
また、請求項２の発明においては、請求項１に記載の発明において、落石防止壁本体の前面の型材に、中空断面の緩衝用ブロックをその中空部に条体を通して取付けたことを特徴とする。
【０００７】
さらにまた、請求項３の緩衝機構を有する落石防止壁においては、収納箱の内部に、木材チップを成形または圧縮成形してなる緩衝用ブロックを複数挿入してなる緩衝材を落石防止壁本体の落石を受ける面に取り付けたことを特徴とする。
【０００８】
なおまた、請求項４の発明においては、請求項３に記載の発明において、前記収納箱が鋼板により製作されていることを特徴とする。
【０００９】
また、請求項５の発明においては、請求項３または４に記載の緩衝機構を有する落石防止壁において、緩衝用ブロックが収納箱の箱本体または蓋に取付られていることを特徴とする。
【００１０】
【発明の実施の形態】
次にこの発明を図示の実施形態に基づいて詳細に説明する。
【００１１】
＜参考第１実施形態＞
図１〜図３は参考第１実施形態を示すものであって、図１は、緩衝機構を有する落石防止壁を示す一部縦断側面図、図２（ａ）は、図１の一部を示す平面図、図２（ｂ）は袋体に木材チップを充填して密封した状態を示す一部切欠斜視図である。
【００１２】
この実施形態では、断面ほぼＬ字状の鉄筋コンクリート製の基礎または擁壁１の上端部に、左右方向に間隔をおいて多数のＨ形鋼等の主柱２が傾けられて立設され、前記主柱２の下端部は基礎または擁壁１にアンカーボルト４により固定され、前記主柱２の背面側には、それぞれＨ形鋼等の控柱３が立設され、前記控柱３の上端部は、前記主柱２にボルト・ナット５により着脱自在に固定され、また前記控柱３の下端部は、前記基礎または擁壁１における低レベル位置の上面に着座されて、アンカーボルト６により固定され、前記主柱２の下部と控柱３の下部とはＨ形鋼等の支持枠材７が配置されてボルト・ナット５により結合されている。
【００１３】
前記主柱２の前面側の急斜面５０側には、上下方向に間隔をおくと共に左右方向に延長するようにＨ形鋼等からなる横方向の水平梁等の型材８が直角に当接配置されて、前記主柱２の前面側のフランジと、前記型材８の背面側のフランジとは、ボルト・ナット９により着脱自在に固定されて、一形態の落石防止壁本体１０を構成している。前記の型材８の前面側が落石を受ける面側となっている。
【００１４】
そして、杉などの間伐材をチップ状に破砕してなる多数の木材チップ１１を可撓性材料からなる袋体１２内に充填または押し込み充填すると、木材チップ１１相互が接触した状態でも空隙部が形成され、このようにした後に、前記袋体１２を密封して、木材チップ１１が中詰めされた長尺の袋体１２からなる緩衝材１３を構成し、各上下方向に間隔をおいた前記型材８に載置するように、前記緩衝材１３を載置して、上端部の型材８と下端部の型材に、Ｕ字状ボルトおよびナット等の取付金具１４または適宜ワイヤー等の条体により固定されて、緩衝機構を有する落石防止壁１５が構成されている。また、前記の多数の木材チップ１１により緩衝層３１が形成されている。
【００１５】
前記の可撓製材料からなる袋体１２としては、内側が布状の袋と、その表面側に耐候性を向上させるために、例えば、止水性のある可撓製樹脂あるいは耐候性ゴムを被覆したものを使用すると、袋体１２内の木材チップ１１が水分により腐食することがないので、緩衝材１３を長期にわたって安定した状態で使用することができる。
【００１６】
本発明の特徴は、以下の実施形態でも同様であるが、緩衝材に木材チップ１１を使用した点を最大の特徴としており、また、前記の木材チップ１１も、間伐材を使用して、構成すると、緩衝材１３の本体部分を安価に製作することができ、しかも間伐材の処理に困窮している現状においては、非常に有益となり、環境にやさしい構成となっている。
【００１７】
前記の袋体１２を密封する手段としては、この実施形態では、木材チップ１１を押し込み充填した状態で、袋体１２の上端部を外側から耐候性の紐１６により結束するようにして密封してブロック状の緩衝材１３とし、これを反転配置して、紐１６により結束した部分から雨水が浸入しないようにしている。なお、前記袋体１２の中間部に係合用凸部１７などを設けておくと、型材８に係合して、下方にずれることがないので、緩衝材１３を所定の位置に設置することができ、取付け作業を容易に行なうことができる。
【００１８】
＜参考第２実施形態＞
図３〜図５は参考第２実施形態の緩衝機構を有する落石防止壁を示すのもであって、図３は緩衝機構を有する落石防止壁の一部縦断正面図、図４（ａ）は図３の一部の平面図、図４（ｂ）は木材チップ収納箱の取付部を示す縦断側面図、図５は木材チップ収納箱の取付部を示す平面図である。
【００１９】
この実施形態では、多数の木材チップ１１を合成樹脂製または金属製の木材チップ収納箱１８内に密封するようにして緩衝材１３を構成した形態であり、前記第１実施形態と同様な部分については、同一の符号を付して相違する部分のみ説明する。
【００２０】
この実施形態では、合成樹脂製または鋼板等の金属製木材チップ収納箱１８を、底板１９と上下の各側面板２０と左右の各側面板２１とにより構成した箱状の木材チップ収納箱本体２２と、上面板２３と上下の側面板２４と左右の側面板２５とにより構成した上部の箱状蓋２６とにより構成し、また前記木材チップ収納箱本体２２の左右の側面板２１には、上下方向両端部付近に、側方に突出するようにボルト挿通孔を有する取付用フランジ２７が一体に設けられている。
【００２１】
また蓋２６における左右の側面板２５の中間部には、前後方向（緩衝用箱の厚さ方向）に延長する長孔２９を有する蓋取付片２８が各側面板２５に一体に設けられ、また前記木材チップ収納箱本体２２における左右の側面板２１には、前記長孔に対応する前後方向の位置に少なくとも一つのボルト固定用雌ねじ孔が設けられ、前記木材チップ収納箱１８に、図４（ａ），（ｂ）に示すように、木材チップ１１を充填した状態で、前記雌ねじ孔に螺合されて段付ボルトまたはボルト３０により、蓋２６は前記木材チップ収納箱１８に離脱不能に係合されている。前記ボルト３０を取外すことにより、蓋２６を取外して木材チップ１１を充填すればよい。前記の多数の木材チップ１１により構成されている緩衝層３１による緩衝性を高めるために、この実施形態では、木材チップ収納箱本体２２の深さ以上に木材チップ１１を充填して緩衝層３１を厚くしている。
【００２２】
この実施形態の木材チップ収納箱１８を前記型材８に取付ける場合は、前記木材チップ収納箱本体２２と取付用フランジ２７が上端レベルの型材８に載置されると共に、下端レベルの型材８に載置されて、前記取付用フランジ２７と前記型材８の前面側フランジのボルト挿通孔に挿通されたボルト３２およびこれに螺合されたナットにより木材チップ収納箱１８は前記型材８に着脱自在に固定されている。この取付け形態によっても、型材８に固定することができるが、図示のように、木材チップ収納箱１８を貫通すると共に、型材８の背面側に延長するように、Ｕ字状ボルト３３を配置して、型材８の背面側に当接するように配置した鋼製等の金属製Ｌ字状部材３４に挿通すると共に、ナットにより固定するようにしてもよい。この取付け形態の何れか一方の取付け手段を採用するようにしてもよい。前記のＵ字状ボルトの場合では、落石を受けて収納箱１８が厚み方向に薄くなるように変形しながら緩衝支承する場合、Ｕ字状ボルト３３のねじ螺杆部分が型材８の後方に自由に後退移動することができ、多数の木材チップ１１による緩衝機能を阻害することがなく、木材チップ１１の緩衝抵抗を発揮させることができる。
【００２３】
前記のＵボルトの取付け手段を採用する場合には、図４（ｂ）に示すように、木材チップ収納箱本体２２の底板１９と蓋２６の上面板２３にＵボルト挿通用筒体３５，３６を一体に設け、かつ下位のレベルとなる木材チップ収納箱本体２２側の筒体３５に蓋２６側の筒体３６が貫入するようにしておくと、雨水が蓋２６側の筒体３６から木材チップ収納箱本体２２内側に浸入することを防止できるので、木材チップ１１が腐食するのを防止することができ、緩衝性能が長期にわたって低下しないので、好ましい。なお、木材チップ収納箱本体２２と蓋２６との間のシールを必要とする場合は、蓋２６の周側面板の内面の周方向全体にシール材を設けて、そのシール材を木材チップ収納箱本体２２の外面に当接するようにしてもよく、あるいは蓋２６の周側面板の外面と木材チップ収納箱本体２２の外面にわたると共に、周方向全体に可撓性の接着性シール材５１を設けて、密封してもよい。
【００２４】
また、この実施形態のように、上面板付蓋２６にすると、落石３７が上面板付蓋２６の一部に衝突した場合にも（図１９ｃ参照）、箱全体の木材チップ層に衝撃力を伝達して、衝撃力を緩衝緩和することができる。
【００２５】
なお、この実施形態の変形形態として、図６に示すように、木材チップを充填した木材チップ収納箱１８を前後方向に２段等の複数段に設置して構成するようにしてもよい。この場合の各木材チップ収納箱１８の取付け手段として、１段目の木材チップ収納箱１８を型材８にボルトにより取付け、その後、２段目の木材チップ収納箱１８を１段目に重合するように載置した後、長尺のＵボルト３３により、前記２段目および１段目の木材チップ収納箱１８の各筒体３５，３６に嵌挿すると共に、型材８の背面側のＬ字状部材３４にナットにより締め込んで固定するようにしてもよい。
【００２６】
＜第３実施形態＞
図７および図８（ａ）は本発明の第３実施形態を示すものであって、図７は緩衝機構を有する落石防止壁を示す一部縦断正面図、図８（ａ）は図７の一部を示す平面図である。この実施形態は、多数の木材チップ１１を適宜接着材を介在させて成形または圧縮成形して中空筒状のブロック状の緩衝材１３とした形態であり、前記参考第１実施形態と同様な部分については、同一の符号を付し、相違する部分を主に説明する。
【００２７】
この実施形態では、前記のように多数の木材チップ１１を接着材を介在させて成形して中空筒状の一体化されたブロック状の複数の緩衝用ブロック１３ａにより緩衝材１３とされるか、または多数の木材チップ１１を圧縮成形して中空筒状の一体化されたブロック状の緩衝用ブロック１３ａにより緩衝材１３とされ、圧縮成形時の圧力を調整するようにすると、前記緩衝材ブロック１３ａの内部の空隙率を調整することができる。なお、多数の木材チップ１１を接着材を介在させて圧縮成形して中空筒状の一体化されたブロック状の緩衝材１３としてもよい。
従来公知のように、空隙がほとんどない集成材では、緩衝性能が低いので、このましくない。
【００２８】
このように構成された角筒状の中空筒状の緩衝用ブロック１３ａを、各型材８の上面に載置するように、上下方向に直列に配置して長尺ブロック状の緩衝材１３を構成すると共に、これらに所定の長さの耐候性のある合成樹脂製またはワイヤー等の金属製条体３８を前記各緩衝材１３の中空部５２に挿通するように配置し、各前記条体３８の両端部を、それぞれねじ方向の異なるアイボルト３９を備えたターンバックル４０における前記各アイボルト３９の環部に係止し、前記ターンバックル４０を型材８の背面側に配置して緊張させて、前記各ブロック状緩衝材１３を固定するようにした形態である。前記の条体３８は複数使用して固定するようにしてもよい。なお、中空部５２を合成樹脂管製または金属管製の補強部材５３により補強してもよい。
【００２９】
なお、図８（ｂ）に示すように、円筒状ブロックの緩衝用ブロック１３ａを直列に配置して長尺の緩衝材１３を構成し、条体３８により緊張固定するようにしてもよい。
【００３０】
また、前記の変形形態として、図９（ａ）または（ｂ）に示すように、ブロック状の緩衝材１３を複数段に設置するようにしてもよい。この場合２段目の緩衝材１３の固定手段として、型材８に条体３８とターンバックルにより固定するようにしてもよく、図９（ｂ）に示すように、１段目の緩衝材１３に条体３８により固定するようにしてもよい。
【００３１】
図１０は、中空筒状緩衝用ブロック１３ａが外力を受けた場合の説明図であって、（ａ）に示すような中空筒状緩衝用ブロック１３ａに、落石３７などにより、図１０（ｂ）に示すように外力を受けた場合に、最初に、中空部の両側の中間部分（図中のＡ部の低強度部分）の木材チップ層４１が潰れて緩衝抵抗し、その後、図１０（ｃ）にＢ部として示すように、上下部分の木材チップ層４２が緩衝抵抗する２重構造とされている。この場合、中空部の両側の中間部分（低強度部分）の木材チップ層４１よりも上下部分の木材チップ層４２の圧縮率を高くするとエネルギー吸収量が高いので望ましい。
【００３２】
図１１は中空筒状の緩衝用ブロック１３ａの変形形態を示すものであって、（ａ），（ｃ）および（ｄ）に示すように、中空緩衝用ブロック１３ａにおける中空部の一端側に、鋼管製または合成樹脂管製の角筒状の差込用凸部からなる差込用継手４３が前記中空緩衝用ブロック１３ａに成形時予めまたは後から嵌合され、前記鋼管製または合成樹脂製管の基端側は、中空緩衝用ブロック１３ａの軸方向中間部まで挿入され接着剤または圧入により固定されて補強され、前記中空部の他端部には、嵌設用凹部４４を設けた角形緩衝用ブロック１３ａが示されている。このような形態の場合は、（ｂ）に示すように、設けない場合に比べて強度を向上させ、比較的大きなエネルギーを吸収することができる。
【００３３】
また、図１１（ｄ）および（ｅ）に示すように、複数の中空緩衝用ブロック１３ａを直列に接続する場合に、隣合う差込用継手４３と嵌設用凹部４４を嵌合固定させながら連結することができ、また条体３８により木材チップ１１が損傷することがない。
【００３４】
さらに、中空緩衝用ブロック１３ａとしては、図１２（ａ）および（ｂ）に示すように中空円柱状の緩衝用ブロック１３ａと円筒状の差込用継手４３と断面円形の嵌設用凹部４４にしたり、あるいは図１２（ｃ）および（ｄ）に示すように、中空三角柱状の緩衝用ブロック１３ａと三角筒状の差込用継手４３と断面三角形の嵌設用凹部４４としてもよい。これらを取付ける場合は、前記実施形態と同様に取付けることができ、また後記の実施形態に示すように、収納箱１８内に収納して使用するようにしてもよい。その他の構成は前記実施形態と同様であるので、同様な部分には、同一の符号を付して説明を省略する。
【００３５】
図１３は緩衝用ブロック１３ａの他の形態を示すものであって、図１３（ｂ）に示すようにブロック状にしてもよいが、図１３（ａ）に示すように、多数の木材チップ１１を圧縮成形する時または接着剤により結合させた状態で成形時に、予め内部に空気または圧縮空気を封入した合成樹脂製等のボールまたは中空体あるいは中空弾性体４５を配置した状態で、成形または圧縮成形して中空緩衝用ブロック１３ａを構成すると、図１３（ｃ）および（ｄ）に示すように、落石などの外力が作用した場合に、前記空気圧による弾力により衝撃吸収性を高めることができる。
【００３６】
また、前記と同様に、図１３（ｅ）に示すように、複数の球状の中空弾性体４５を、予め配置してもよく、（ｆ）に示すように、立方体状の中空弾性体４５を圧縮成形時に内部に配置して、緩衝用ブロック１３ａを構成するようにしてもよい。これらの緩衝用ブロック１３ａを使用する場合は、長さ寸法にもよるが、複数または一つの緩衝用ブロック１３ａからなる緩衝材１３をロープ等の条体３８により型材８に固定するようにしてもよく、あるいは収納箱１８に収納して構成した緩衝材１３として使用することもできる。
【００３７】
＜第４実施形態＞
図１４および図１５は、本発明の第４実施形態の緩衝機構を有する落石防止壁を示すものであって、図１４は緩衝機構を有する落石防止壁の一部縦断正面図、図１５（ａ）は図１４における型材８と収納箱１８を主に示す平面図、（ｂ）は木材チップ収納箱の取付部を示す縦断側面図である。
【００３８】
この実施形態では、図３に示す収納箱１８と同様な収納箱を使用し、木材チップのバラものに代えて、接着材を介して成形または圧縮成形したブロック状の複数の緩衝用ブロック１３ａを内部に配置した形態の収納箱１８からなる緩衝材１３を型材８に固定した形態である。この実施形態では、角筒状の緩衝用ブロック１３ａの中空貫通孔を箱１８の厚さ方向に向くように配置し、剛性を高める補強部材としての管を中空部に配置していない形態であるが、図７に示すように上下方向に向くように配置してもよく、その場合に図７〜図１３に示す緩衝用ブロック１３ａに置換えてもよい。
緩衝用ブロック１３ａを収納箱１８に固定する場合、図示を省略するが、緩衝用ブロック１３ａを蓋２６または箱本体２２に接着剤またはＵ字状ボルト等のボルトにより固定してもよく、蓋２６または箱本体２２に内向き凸部を予め設けて、緩衝用ブロック１３ａの位置決めをしてもよい。箱本体２２に密に緩衝用ブロック１３ａを配置してもよく、必要に応じ緩衝用ブロック１３ａ間または緩衝用ブロック１３ａの中空部にバラの木材チップを、適宜空隙部を作るようにして充填してもよい。その他の構成は前記第２実施形態の場合と同様であるので、同様な部分には同様な符号を付して説明を省略する。
【００３９】
前記の収納箱１８に緩衝用ブロック１３ａを配置する場合、図１６（ａ）に示すように、横方向と縦方向に等間隔で緩衝用ブロック１３ａを配置してもよく、（ｂ）に示すように、比較的長尺の緩衝用ブロック１３ａを左右方向に等間隔で配置するか、または上下方向に等間隔で収納配置するようにして、収納箱１８により密封した緩衝材１３としてもよい。図１７（ａ）は図１６（ａ）または（ｂ）の断面図である。図１６（または図１９ｃ）に示す形態のように、密封された箱状体とすることが、木材チップを水分および熱等から守ることができるので、理想状態であるので、前記各実施形態の場合、図１７（ｂ）に示すように、蓋と箱本体２２を密着させてシールしてもよく、あるいは図示を省略するが、シール材により密封するようにするとよい。このような収納箱１８の場合は、緩衝材１３の緩衝性能を低下させない、例えば合成樹脂製等の材料で製作するとよい。
【００４０】
＜第５実施形態＞
図１８および図１９（ａ）は、本発明の第５実施形態の緩衝機構を有する落石防止壁を示すものであって、図１８は落石防止壁の一部縦断正面図、図１９（ａ）は収納箱の取り付け状態を示す横断平面図である。
【００４１】
この実施形態では、溝形部材を収納箱とした形態で、断面溝形の収納箱１８の溝部４７が上下方向に延長するように各型材８に載置されて、前記箱本体２２における左右の各側面板２１に取付用フランジ２７が設けられ、その取付用フランジ２７が型材８にボルト・ナット３２により固定され、かつ前記溝部４７の下端部には、支持部４８が底板１９に一体に設けられている。その支持部４８に、最下段に位置する緩衝用ブロック１３ａが支持された状態で、順次緩衝用ブロック１３ａが直列に上方に向って載置されて緩衝材１３が形成されている。
【００４２】
そして、図７に示す実施形態と同様に、中空筒状の緩衝材１３内に所定の長さの耐候性のある合成樹脂製または金属製条体３８を挿通するように配置し、各前記条体３８の両端部に、それぞれねじ方向の異なるアイボルト３９を備えたターンバックル４０における前記各アイボルト３９の環部に係止し、前記ターンバックル４０を型材８の背面側に配置して条体３８緊張させて、前記各緩衝用ブロック１３ａを固定するようにした形態である。
【００４３】
なお、前記第５実施形態を含めて前記各実施形態でも同様であるが、落石３７により緩衝材１３に局部的に衝撃力が作用するのを防止し、複数の緩衝用ブロック１３ａまたは緩衝材１３に支承させて衝撃力を緩和させて伝達させるために、緩衝用ブロック１３ａまたは緩衝材１３の表面側に、図１９（ａ）に２点鎖線で示すように、図１９（ｂ）に示すような波形断面の鋼製デッキプレート等の衝撃荷重分散用支承板４９（具体的部材は後記する）を、収納箱１８あるいは型材８にＵボルト等のボルト５４およびナット５５により固定するか、あるいは図示を省略するが、条体により収納箱１８あるいは型材８に固定するか、蓋２６にボルト等により固定してもよく、あるいは緩衝材１３に接着材またはボルトにより固定してもよい。なおまた、図示を省略するが、蓋２６がある場合には、蓋２６の上面板（表面板）２３自体を左右方向に波形断面で上下方向に連続するようにして衝撃荷重分散用支承板４９を兼用させるようにしてもよい。
また、緩衝材１３の背面側については、図１および図７のように、緩衝材１３と型材８を直接当接させるようにしてもよいが、緩衝材１３の背面側の接触面を大きくするために、収納箱１８の底板１９のように、鋼板等の支承板（底板１９）を緩衝材１３の背面側に配置して型材８に固定し、緩衝材１３の背面側から支承板（底板１９）を介して型材８に、衝撃力を緩和させて伝達させるようにしてもよい。なお、側板を有する収納箱１８のように断面溝型であると、曲げ剛性が高くなり、落石があった場合、収納箱１８が曲げ変形しながら（落石によるエネルギを吸収しながら）支承することができる。
【００４４】
なお、溝形の収納箱１８としては、１列または複数段の緩衝材１３を収納できる溝形断面の収納箱１８としてもよい。また、前記実施形態においても同様であるが、長尺の１本ものの中空緩衝材１３としてもよい。その他の構成は、前記実施形態の場合と同様であるので、説明を省略する。
【００４５】
＜第６実施形態＞
図２０および図２１は、本発明の第６実施形態の緩衝機構を有する落石防止壁を示すものであって、図２０は落石防止壁の一部縦断側面図、図２１（ａ）は図２０の一部の平面図、（ｂ）は木材チップ収納箱の取付部を示す縦断側面図である。
【００４６】
この実施形態は、収納箱１８（あるいは袋体１２）を型材８の前面側フランジ８ａに取付けることができることを示した形態で、Ｕ字状ボルト３３の先端部が型材８の前面側フランジに挿通されてナット４６により固定されている。このように、型材８に固定するようにすると、短いＵ字状ボルト３３により緩衝材１３を落石防止壁本体１０に取付けることができ、落石を受けて収納箱１８が厚み方向に薄くなるように変形しながら緩衝支承場合、Ｕ字状ボルト３３が型材８の他方のフランジまで後退移動することができる。この場合も取付け用フランジ２７およびボルト・ナット３２を省略した形態としてもよい。その他の構成は、前記実施形態と同様であるので、同一の部分には同一の符号を付して説明を省略する。
【００４７】
本発明を実施する場合、例えば、図２２（ａ）に示すように、複数の緩衝用ブロック１３ａを収納した収納箱１８内における各緩衝用ブロック１３ａ全体に渡るように、板状の衝撃荷重分散用支承板４９を各緩衝用ブロック１３ａに載置してもよく、また、図２２（ｂ）に示すように、収納箱１８を用いない場合には、複数の緩衝用ブロック１３ａに渡るように、板状の衝撃荷重分散用支承板４９を各緩衝用ブロック１３ａに載置するようにし、前記と同様な取付け手段により取付けるようにてしてもよい。前記の衝撃荷重分散用支承板４９としては、前記した鋼製等のデッキプレート以外に、エキスパンドメタルあるいはベニヤ板等の衝撃荷重を分散する程度の剛性を有する材料からなる面板状部材を使用するとよい。このような衝撃荷重分散用支承板４９を用いると、落石の衝撃荷重が衝撃荷重分散用支承板４９を介して分散されて伝達されて、木材チップのブロック（または木材チップの緩衝層）に、ほぼ均等に負担させるようにすることができ、これによって、緩衝材１３の損傷を軽減することができ、また落石防止壁への局部的衝撃力が大きくなるのを防止して、落石防止壁への衝撃を軽くすることができる。
【００４８】
前記のように、本発明においては、多数の木材チップ１１をバラもの状態のままで使用する場合には、可撓性材料からなる袋体１２または収納箱１８に充填して緩衝材１３とする。また、多数の木材チップ１１をブロック状にする場合には、緩衝性能を有するように空隙部を形成するように接着剤を使用して成形したり、または接着剤を使用しないで圧縮成形して緩衝用ブロック１３ａとして、これを単独で使用したり、密閉した収納箱１８または断面みぞ型の収納箱１８内に設けて緩衝材１３とする。
【００４９】
なお、本発明を実施する場合、耐候性および止水性のある可撓性材料からなる袋体１２内に、成形または圧縮成形した緩衝用ブロック１３を密封するようにしてもよい。このようにすると、個々の緩衝用ブロック１３自体に耐候性処理あるいは吸水防止処理（撥水処理）を施す必要がない。
【００５０】
また、収納箱１８内に緩衝用ブロック１３ａを固定する場合に、ボルトまたは接着剤により固定してもよい。
【００５１】
また、ネット状あるいは袋または多孔状籠に木材チップを充填したものを収納箱１８内に配置したり、袋体１２内に配置してもよい。
【００５２】
【発明の効果】
本発明によると、環境にやさしい木材チップを使用しているので、自然の環境にあった緩衝材を備えた緩衝機構を有する落石防止壁とすることができ、特に木材チップに間伐材を有効に利用できるので、間伐材の処理が問題になっているわが国の現状では、森林の育成を図る国策にも合致させることができ、しかも安価な間伐材を利用できるので、落石防止壁における緩衝材部分を低コストに抑えることができ、また、木材チップは軽量であるので、容易に搬送して施工することができ、施工コストも低減させることができ、また、木材チップをブロック化すると、取り扱いおよび取付けが容易で、落石防止壁を比較的低コストで築造することができる。
【００５３】
また、木材チップをバラもの状態でもブロック化した状態でも、可撓性袋体に封入したり、蓋付収納箱あるいは断面溝形部材からなる収納箱１８内に配置して、容易に緩衝材を構成することができる。
【００５４】
緩衝材の落石を受ける面側に、衝撃荷重を分散するための板状部材を設けると、落石の衝撃荷重が衝撃荷重分散用支承板４９を介して分散されて伝達されて、緩衝材の損傷を軽減することができ、また落石防止壁への局部的衝撃力が大きくなるのを防止して、落石防止壁への衝撃を軽くすることができる。
【図面の簡単な説明】
【図１】  参考第１実施形態に係る緩衝機構を有する落石防止壁を示す一部縦断側面図である。
【図２】  （ａ）は図１の一部を示す平面図、（ｂ）は袋体に木材チップを充填して密封した状態を示す一部切欠斜視図である。
【図３】  参考第２実施形態の緩衝機構を有する落石防止壁を示す一部縦断正面図である。
【図４】  （ａ）は図３の一部の平面図、（ｂ）は木材チップ収納箱の取付部を示す縦断側面図である。
【図５】  木材チップ収納箱の取付部を示す平面図である。
【図６】  木材チップ収納箱を２段に設けた場合を示す一部の平面図である。
【図７】  本発明の第３実施形態の緩衝機構を有する落石防止壁を示す一部縦断正面図である。
【図８】  （ａ）は図７の一部を示す平面図、（ｂ）は他の例を示す平面図である。
【図９】  （ａ）は木材チップの角形緩衝用ブロックを２段に設けた形態を示す平面図、（ｂ）は木材チップの円柱状緩衝用ブロックを２段に設けた形態を示す平面図である。
【図１０】  中空筒状緩衝用ブロックが外力を受けた場合の説明図であって、（ａ）木材チップを中空筒状緩衝用ブロックの１形態を示し、（ｂ）は外力を受けた場合に最初に中間部分が緩衝抵抗することを示す説明図、（ｃ）はその後に上下の部分が緩衝抵抗することを示す説明図である。
【図１１】  （ａ）は中空緩衝用ブロックに差込用継手と嵌設用凹部を設けた角形緩衝用ブロック形態示す斜視図、（ｂ）は設けない場合を示す正面図、（ｃ）は（ａ）の正面図、（ｄ）は２つの緩衝用ブロックを嵌合する場合の説明図、（ｅ）は複数の緩衝用ブロックを嵌合接続した状態を示す一部縦断正面図である。
【図１２】    （ａ）は中空緩衝ブロックに差込用継手と嵌設用凹部を設けた円柱状緩衝用ブロック形態示す概略斜視図、（ｂ）は接続した場合を示す概略斜視図、（ｃ）は三角柱状の緩衝用ブロックを示す正面図、（ｄ）は２つの三角柱状の緩衝用ブロックを嵌合する場合の説明図である。
【図１３】  （ａ）は中空緩衝用ブロックの他の形態を示す斜視図、（ｂ）は設けない場合を示す斜視図、（ｃ）および（ｄ）は中空緩衝用ブロックに外力を受けた場合の説明図、（ｅ）および（ｆ）は緩衝用ブロックを他の形態を示す縦断正面図である。
【図１４】  本発明の第４実施形態の緩衝機構を有する落石防止壁を示す一部縦断正面図である。
【図１５】（ａ）は図１４の一部の平面図、（ｂ）は木材チップ収納箱の取付部を示す縦断側面図である。
【図１６】  （ａ）および（ｂ）は複数の緩衝用ブロックを収納箱に収納した状態を示す概略斜視図である。
【図１７】  （ａ）は図１６に示す断面図、（ｂ）は収納箱の取り付け状態を示す横断平面図である。
【図１８】  （ａ）は本発明の第５実施形態の緩衝機構を有する落石防止壁を示す一部縦断側面図、（ｂ）は収納箱の下部付近を拡大して示す図である。
【図１９】  （ａ）は収納箱の取り付け状態を示す横断平面図、（ｂ）は複数の緩衝用ブロックの表面側に配置される衝撃荷重分散用波形鋼板の断面形態の一例を示す断面図、（ｃ）は緩衝用ブロックを収納した収納箱に落石が衝突した場合の説明図である。
【図２０】  本発明の第６実施形態の緩衝機構を有する落石防止壁を示す一部縦断側面図である。
【図２１】  （ａ）は図２０の一部の平面図、（ｂ）は木材チップ収納箱の取付部を示す拡大縦断側面図である。
【図２２】  （ａ）および（ｂ）は衝撃荷重分散用支承板を設ける場合の形態を示す概略斜視図である。
【符号の説明】
１  基礎または擁壁
２  主柱
３  控柱
４  アンカーボルト
５  ボルト・ナット
６  アンカーボルト
７  支持枠材
８  型材
８ａ  前面側フランジ
９  ボルト・ナット
１０  落石防止壁本体
１１  木材チップ
１２  袋体
１３  緩衝材
１３ａ  緩衝用ブロック
１４  取付金具
１５  緩衝機構を有する落石防止壁
１６  紐
１７  係合用凸部
１８  木材チップ収納箱
１９  底板
２０  側面板
２１  側面板
２２  木材チップ収納箱本体
２３  上面板
２４  側面板
２５  側面板
２６  箱状蓋
２７  取付用フランジ
２８  蓋取付片
２９  長孔
３０  ボルト
３１  緩衝層
３２  ボルト
３３  Ｕ字状ボルト
３４  鋼製Ｌ字状部材
３５  Ｕボルト挿通用筒体
３６  Ｕボルト挿通用筒体
３７  落石
３８  条体
３９  アイボルト
４０  ターンバックル
４１  中間部分
４２  木材チップ層
４３  差込用継手
４４  嵌合用凹部
４５  中空弾性体
４６  ナット
４７  溝部
４８  支持部
４９  衝撃荷重分散用支承板
５０  急斜面
５１  接着性シール材
５２  中空部
５３  補強部材
【図１】
0003954852.tif 000002
【図２】
0003954852.tif 000003
【図３】
0003954852.tif 000004
【図４】
0003954852.tif 000005
【図５】
0003954852.tif 000006
【図６】
0003954852.tif 000007
【図７】
0003954852.tif 000008
【図８】
0003954852.tif 000009
【図９】
0003954852.tif 000010
【図１０】
0003954852.tif 000011
【図１１】
0003954852.tif 000012
【図１２】
0003954852.tif 000013
【図１３】
0003954852.tif 000014
【図１４】
0003954852.tif 000015
【図１５】
0003954852.tif 000016
【図１６】
0003954852.tif 000017
【図１７】
0003954852.tif 000018
【図１８】
0003954852.tif 000019
【図１９】
0003954852.tif 000020
【図２０】
0003954852.tif 000021
【図２１】
0003954852.tif 000022
【図２２】
0003954852.tif 000023